(57)【要約】【課題】入力されたカラー画像データが、色弱者でも見やすくなるよう、使用者の色覚特性に応じて適切な色補正を行う。【解決手段】色覚特性入力部２により、使用者が操作部に表示されたカラーパッチを見ながら色覚特性を入力する。色覚判定部３は、入力された色覚特性から使用者が色弱か否かを判断し、パラメータ生成部４は、入力された色覚特性から色補正パラメータを生成する。色変換部１は、入力データに対し、色覚判定部３の情報に基づき、色補正パラメータを適用して色補正を行う。【選択図】図１
2009071541.tif 000002
【特許請求の範囲】
【請求項１】
入力カラー画像信号を画像出力装置の画像形成用の画像信号に変換する画像処理装置において、少なくとも明度方向の色弁別に関する色覚特性を入力するための色覚特性入力手段と、前記色覚特性入力手段より入力された情報を基に、色補正パラメータを生成するパラメータ生成手段と、前記色覚特性入力手段より入力された情報を基に、色弱の有無を判定する色覚判定手段と、前記色覚判定手段で色弱であると判定された場合に、前記色補正パラメータを用いて前記入力カラー画像信号に対して色補正を行う色補正手段とを備えることを特徴とする画像処理装置。
【請求項２】
前記色覚特性入力手段は、前記操作部画面にカラーパッチ対を順に表示し、前記カラーパッチ対毎に、使用者が弁別できるように調整させることで前記色覚特性を入力させることを特徴とする請求項１記載の画像処理装置。
【請求項３】
前記カラーパッチ対は、少なくとも、明度、彩度、色相方向それぞれに、複数段階表示されることを特徴とする請求項１または２記載の画像処理装置。
【請求項４】
前記色覚特性入力手段は、２番目以降の前記カラーパッチ対に対して使用者が行う入力を制限することを特徴とする請求項１または２記載の画像処理装置。
【請求項５】
前記色覚判定手段は、前記色覚特性入力部より入力された情報のうち、色相及び明度に関する情報を基に、色弱の有無を判定することを特徴とする請求項１記載の画像処理装置。
【請求項６】
入力カラー画像信号を、画像出力装置の画像形成用の画像信号に変換する画像処理方法において、少なくとも明度方向の色弁別に関する色覚特性を入力するための色覚特性入力工程と、前記色覚特性入力工程より入力された情報を基に、色補正パラメータを生成するパラメータ生成工程と、前記色覚特性入力工程より入力された情報を基に、色弱の有無を判定する色覚判定工程と、前記色覚判定工程の判定結果に基づき、前記色補正パラメータを用いて前記入力カラー画像信号に対して色補正を行う色補正工程とを備えることを特徴とする画像処理方法。
【請求項７】
請求項６記載の画像処理方法をコンピュータに実現させるためのプログラム。
【請求項８】
請求項６記載の画像処理方法をコンピュータに実現させるためのプログラムを記録したコンピュータ読み取り可能な記録媒体。
【発明の詳細な説明】
【技術分野】
【０００１】
本発明は、入力されるカラー画像データに対し、色覚特性に応じた色補正処理を行い、出力する画像処理装置、画像処理方法、プログラムおよび記録媒体に関し、ディスプレイ、スキャナ、デジタルカメラ、カラープリンタ、カラーファクス、カラーハードコピーなどの色補正装置や、パソコン、ワークステーション上で稼動するカラープリンタ用ソフトウェア等に好適な技術に関する。
【背景技術】
【０００２】
近年、カラー画像を表示、印刷するカラー画像出力技術の発達により、個人や企業が作成する文書、ＷＥＢページには、様々な色付き文字やカラー画像が使用されている。このような文書では、注意を促す表記やグラフのグループ分けに色付き文字等を用いることにより、色そのものに重要な情報を持たせている場合が多い。また、これらの文書の内容を正しく理解するためには、文字や画像を認識し、さらに文書に用いられている色の違いを判別しなければならない。
【０００３】
このような様々な色を用いた文書であっても、色覚に障害がある場合には色情報の判別が難しい。例えば、赤と緑の判別が難しい色覚の場合では、赤、緑、青を使用したグラフの、赤と緑の識別がしにくく、あるいは全く識別できないため、青とそれ以外の識別しかできない場合もあり得る。
【０００４】
ところで、人間の色覚に関する生理的、医学的研究によると、これまで色覚障害には、上述のような、赤と緑の判別が困難な赤緑色盲、また、黄青色盲、全色盲といった型があることが知られている。最近では、ＣＵＤＯ（ＮＰＯ法人  カラーユニバーサルデザイン機構）が、色覚が正常もしくは異常という線引きではなく、Ｃ型／Ｐ型（強・弱）（従来の赤緑色盲に相当）／Ｄ型（強・弱）（従来の赤緑色盲に相当）／Ｔ型（従来の黄青色盲に相当）／Ｕ型（従来の全色盲に相当）といった、色覚の型名で呼び、Ｃ型色覚の人を一般色覚者、それ以外の色認識に関して弱い部分のある人を色弱者と呼ぶことを提唱している（非特許文献１を参照）。
【０００５】
従来、このような色覚の型を持ったユーザーに配慮して、各種文書等に用いられている色が判別しやすいように、例えば特許文献１では、使用者の色覚のタイプとその程度といった色覚特性情報や使用者環境の情報として周囲の明るさに関する情報を入力し、それに応じてビジュアルコンテンツに適応変換を行う画像処理方法が提案されている。
【０００６】
また、特許文献２では、使用者が操作部に表示された色相環を見ながら、色毎の距離によって色覚特性を指定し、その情報に基づいて使用者の色覚特性を判定し、その色覚特性に応じて画像データに施す処理を変更する画像処理装置が提案されている。
【０００７】
さらに、特許文献３では、描画データの示すイメージが見やすい明確なイメージとなるよう、イメージで色の変わり目に輪郭線を追加したり、イメージ中で一定のパターンを持つ領域内のパターンを変更したり、一定のパターンの領域内の色を変更したり、イメージ中の線を太くする又は線の色を変えるプリンタが提案されている。
【０００８】
【非特許文献１】ＵＲＩ  ｈｔｔｐ：／／ｗｗｗ．ｃｕｄｏ．ｊｐ／ｓｉｋｕｍｉ／
【非特許文献２】大田登著、『色彩工学』、東京電機大学出版局、ｐｐ．２０９−２１１
【特許文献１】特表２００５−５２４１５４号公報
【特許文献２】特開２００４−９４８１４号公報
【特許文献３】特開２００１−２９３９２６号公報
【発明の開示】
【発明が解決しようとする課題】
【０００９】
上記した特許文献１の場合、使用者が色覚のタイプと程度情報を与え、それに応じた色補正を行うが、使用者が自身の色覚タイプとその程度を十分に把握しているとは限らない。また、色覚特性には一般的に個人差があるため、上記したような画一的な色覚タイプの分類を適用してしまうと、使用者によっては元々色補正をあまり行わなくても識別できるような場合に、余分な補正を行ってしまう可能性がある。また、そのような必要以上の補正を行うことで、一般色覚者が見た場合に不自然な色みになってしまう可能性も高くなる。
【００１０】
また、特許文献２では、使用者自らが操作部に表示された色相環を見ながら色覚特性を指定することができるため、特許文献１などのように、使用者が自身の色覚タイプと程度を把握していなくとも良いというメリットがあるものの、明度方向の成分が考慮されておらず、色弱者の色覚特性を考慮した場合に、同じ色に見えるはずの色である混同色（非特許文献２を参照）を、オリジナルの画像の色みは変えずに、明度方向にある程度の差異を生じさせることで判別しやすくすることができない。
【００１１】
さらに、特許文献３では、前述の通り、使用者の指示に従い、「画像の色の変わり目に輪郭線を追加」「一定のパターン領域内の色を変更する」等の処理を行うため、オリジナル画像と大きく異なってしまい、使用者と異なる色覚タイプを持つ人がその出力物を見た場合、非常に不自然な色みや形態の画像になってしまう可能性がある。
【００１２】
本発明は上記課題に鑑みてなされたものであり、
本発明の目的は、入力されたカラー画像データが、色弱者でも見やすくなるよう、使用者の色覚特性に応じて適切な色補正を行う画像処理装置、画像処理方法、プログラムおよび記録媒体を提供することにある。
【００１３】
即ち、請求項１の目的は、入力されたカラー画像データが、使用者が色弱者であっても見やすいように、使用者の色弁別に関する色覚特性に応じて適切な色補正を行う画像処理装置を提供することにある。
【００１４】
請求項２の目的は、使用者が比較的容易に色弁別に関する自身の色覚特性を入力できるような画像処理装置を提供することにある。
【００１５】
請求項３の目的は、使用者の色弁別に関する色覚特性に応じて精度良く色補正を行うことが可能な画像処理装置を提供することにある。
【００１６】
請求項４の目的は、色相・彩度・明度の逆転を抑制するような色弱者向けの色補正を行うことが可能な画像処理装置を提供することにある。
【００１７】
請求項５の目的は、入力された色弁別に関する色覚特性情報から、色弱者向けの色補正が必要か否かを判断することが可能な画像処理装置を提供することにある。
【００１８】
請求項６の目的は、入力されたカラー画像データが、使用者が色弱者であっても見やすいように、使用者の色弁別に関する色覚特性に応じて適切な色補正を行う画像処理方法を提供することにある。
【００１９】
請求項７の目的は、入力されたカラー画像データが、使用者が色弱者であっても見やすいように、使用者の色弁別に関する色覚特性に応じて適切な色補正を行う画像処理プログラムを提供することにある。
【課題を解決するための手段】
【００２０】
本発明は、入力カラー画像信号を画像出力装置の画像形成用の画像信号に変換する画像処理装置において、少なくとも明度方向の色弁別に関する色覚特性を入力するための色覚特性入力手段と、前記色覚特性入力手段より入力された情報を基に、色補正パラメータを生成するパラメータ生成手段と、前記色覚特性入力手段より入力された情報を基に、色弱の有無を判定する色覚判定手段と、前記色覚判定手段で色弱であると判定された場合に、前記色補正パラメータを用いて前記入力カラー画像信号に対して色補正を行う色補正手段とを備えることを最も主要な特徴とする。
【発明の効果】
【００２１】
請求項１、６、７：使用者の色弁別に関する色覚特性に基づいた色補正パラメータを用いて補正を行っているため、使用者が色弱であった場合にも、色弱の程度に応じた必要最小限の補正で色識別できるような色補正を行うことが可能である。また、明度方向の色弁別に関する色覚特性を利用することで、色相や彩度の補正量を抑制し、一般色覚者にとっても、あまり不自然とならないような色補正を行うことが可能である。
【００２２】
請求項２：カラーパッチ対の色みを比較しながら使用者の色覚特性を入力することができるので、使用者が自身の色覚タイプと程度を把握していない場合であっても、容易に自身の色覚特性を入力することが可能である。
【００２３】
請求項３：色空間を明度・彩度・色相方向に複数分割した分割点に対して色覚特性を入力できるようにしているため、使用者の色覚特性に個人差がある場合にも、高精度な色補正を行うためのパラメータを生成することが可能である。
【００２４】
請求項４：使用者の色覚特性の入力に対して制限を加えているので、色相や明度の位置関係が逆転するようなパラメータが生成されることを抑制することができる。
【００２５】
請求項５：入力された色覚特性から、使用者が色弱か否かを判定しているため、使用者が一般色覚者の場合は余分な色補正は行わず、使用者が色弱者の場合のみ、適切な色補正を行うことが可能である。
【発明を実施するための最良の形態】
【００２６】
以下、発明の実施の形態について図面により詳細に説明する。
【００２７】
実施例１：（色弁別に関する色覚特性に応じて色補正パラメータを生成し、色弱者用の色補正を行う）
図１は、本発明に係る画像処理装置の全体構成を示す。図１に示す画像処理装置は、入力データに対し、色覚判定部３の情報に基づき、色補正パラメータを適用して色補正を行う色変換部１と、使用者が操作部（図示せず）に表示されたカラーパッチを見ながら色覚特性を入力する色覚特性入力部２と、入力された色覚特性から使用者が色弱か否かを判断する色覚判定部３と、入力された色覚特性を基に色補正パラメータを生成するパラメータ生成部４を有している。ここで色覚特性は、使用者毎の、色の識別ができる弁別限界に関する情報を示すものとする。
【００２８】
図２は、本発明に係る画像処理装置の詳細な構成を示す。図２において、色変換部１は、混同色判定部１２と色補正部１３を有する。
【００２９】
色覚特性入力部２は、使用者が操作部（図示せず）に表示されたカラーパッチ対を見ながら入力した色弁別に関する色覚特性情報が入力されると、該情報を色覚判定部３とパラメータ生成部４へ送る。色覚判定部３は受け取った色覚特性情報を元に、使用者が色弱者であるか否かを判定し、その判定結果を混同色判定部１２へ送る。また、パラメータ生成部４は、色覚特性入力部２より色覚特性情報を受け取ると、それに基づき色補正パラメータを生成し、色補正部１３へ送る。
【００３０】
混同色判定部１２は、色覚判定部３より判定情報を受け取り、使用者が色弱であった場合には、入力画像中に含まれる混同色を判定した混同色情報を入力データと共に色補正部１３へ送る。色補正部１３では、混同色判定部１２より受け取った混同色情報に基づき、入力データに対し、パラメータ生成部４から受け取った色補正パラメータを適用し、色補正を行い、補正後のデータを出力する。
【００３１】
図３は、本発明の処理フローチャートである。まず、色覚特性入力部２は、操作部に図４に示すようなユーザインタフェースを表示し、色覚特性情報の入力を促し、使用者は色覚特性を入力する（ステップＳ１１）。
【００３２】
使用者が、図４の左側のように表示されたカラーパッチ対を見ながら、それぞれ色相・彩度・明度に対応したスライドバーを調整し、片方のパッチの色を変化させて、左右のカラーパッチが異なっていると感じられる程度にまで調整を行うという操作をカラーパッチ対のセット数と同じ回数だけ繰り返す。
【００３３】
図４の例では、Ｈ＝６０、Ｓ＝０．５、Ｌ＝０．２５のときの調整量ΔＨ、ΔＳ、ΔＬがパラメータ生成部４へ送られる。表示するカラーパッチ対は、例えばＨＳＬ色空間を均等に分割する分割点に対応した色を表示する。
【００３４】
ＨＳＬ色空間を分割した点毎に調整を行うため、使用者の指定する調整量によっては色相角の大小関係が逆転してしまったりする可能性がある。そこで、例えば使用者が、あるカラーパッチ対の調整の際に、色相と明度をプラス方向に調整し、彩度を全く調整しなかった場合、その後に調整を行う対象のカラーパッチ対からは、図５に示すように、色相と明度をプラス方向のみにしか調整できないよう、入力に制限を加えるようにしても良い。
【００３５】
以上のようにして入力された使用者の色弁別に関する色覚特性情報がパラメータ生成部４及び色覚判定部３へと送られる。色覚特性情報は、各カラーパッチ対について、色相・彩度・明度方向への調整量（それぞれΔＨ、ΔＳ、ΔＬとする）が相当する。
【００３６】
パラメータ生成部４では、色覚特性情報を受け取ると、図８（ａ）に例示するような、ＨＳＬ色空間の各分割点に対応した調整量のテーブルとして色補正パラメータを生成する（ステップＳ１２）。つまり、各カラーパッチ対（Ｈ、Ｌ、Ｓ）に対応した調整量（ΔＨ、ΔＳ、ΔＬ）が図８（ａ）にように作成され、色補正パラメータとして色補正部１３に入力される。
【００３７】
この際、例えば図４や５に示したようにカラーパッチ対の間隔が離れている場合は、色覚特性入力部２から入力されたΔＨ等の値をそのまま用いれば良い。また、矩形のカラーパッチ対を、お互いに接した状態で表示し、使用者に色覚特性を入力させるような場合は、カラーパッチ対が離れて表示される場合よりも、色の違いが知覚される限界が低く、わずかな差でも知覚される可能性がある。しかしながら、入力画像においては、色の区別の困難な混同色が接しているとは限らないため、そのまま色補正パラメータを生成すると色補正パラメータによる補正量が小さすぎ、十分な効果が得られない可能性がある。そのため、カラーパッチ対を接した状態で表示するような場合は、色補正パラメータによる補正によって十分な差異が生じるよう、以下の（１）式のように、入力された調整量を定数倍したΔＨ’、ΔＳ’、ΔＬ’を調整量として用いるか、又は、図８（ａ）に示すような入力された調整量をそのまま反映した色補正パラメータと共に、図８（ｂ）に示すような、符号を反転させた逆方向に調整するための色補正パラメータも生成する。
【００３８】
ΔＨ’＝ΔＨ＊α
ΔＳ’＝ΔＳ＊α
ΔＬ’＝ΔＬ＊α  （αは１．０より大きな定数）  （１）
以上のように生成された色補正パラメータが色補正部１３へと送られる。色覚判定部３では、色覚特性情報を受け取ると、使用者が色弱であるか否かの判定を行う（ステップＳ１３）。
【００３９】
まず、入力された各カラーパッチ対毎の調整量ΔＨ、ΔＳ、ΔＬのうち、ゼロでないもの（各々ｍ１，ｍ２，ｍ３個とする）の絶対値の最大値及び平均値を算出する。
【００４０】
ΔＨｍｅａｎ＝（Σ｜ΔＨ｜）／ｍ１
ΔＳｍｅａｎ＝（Σ｜ΔＳ｜）／ｍ２
ΔＬｍｅａｎ＝（Σ｜ΔＬ｜）／ｍ３
ΔＨｍａｘ＝ｍａｘ（｜ΔＨ｜）
ΔＳｍａｘ＝ｍａｘ（｜ΔＳ｜）
ΔＬｍａｘ＝ｍａｘ（｜ΔＬ｜）    （２）
ここで、ΔＬｍｅａｎ＜ＬｔｈかつΔＬｍａｘ＜Ｌｔｈ
（但し、ＬｔｈはＨＳＬ色空間のＬの取りうる値が０〜１である場合に０＜Ｌｔｈ＜０．０５の範囲の定数）又は、他のΔＨｍｅａｎ等の値が所定値以上であった場合、使用者は色弱者であると判定する。
【００４１】
また、ΔＬｍｅａｎ≧ＬｔｈかつΔＬｍａｘ≧Ｌｔｈ
（ＬｔｈはＨＳＬ色空間のＬの取りうる値が０〜１である場合に０＜Ｌｔｈ＜０．０５の範囲の定数）又は、他のΔＨｍｅａｎ等の値が所定値以下であった場合、使用者は一般色覚者であると判定する。
【００４２】
以上のようにして判定した結果が、混同色判定部１２へ送られる。混同色判定部１２は、色覚判定部３より、使用者が色弱か否かの判定結果を受け取り、使用者は色弱者であるとの判定である場合、ネットワークインタフェースや各種記憶媒体経由で入力されたカラー画像データをＨＳＬ色空間の色度及びｘｙＹ色度に変換すると共に、画像中の混同色を探索する。ここで、ｘｙＹは、ＣＩＥのｘｙ色度及び輝度Ｙの値である。
【００４３】
ここで、例えば入力データをｓＲＧＢデータとすると、ＨＳＬ色空間への変換は（３）式により変換される。
【００４４】
【数１】
2009071541.tif 000003
【００４５】
また、ｘｙＹ色度については、ｓＲＧＢデータを、ｓＲＧＢ色空間の定義式に従い、ＸＹＺ三刺激値に変換した後、定義式によりｘｙ色度が算出される。
【００４６】
次に、混同色判定部１２は、入力されたカラー画像データを、用いられている色の領域毎に分割する。これには、広く知られた方法を用いることができ、例えば『画像解析ハンドブック』（東京大学出版会発行）の６８９ページ以下の領域分割の章に記載されている方法を用いることができ、これらについての詳細の説明は省略する。
【００４７】
また、入力データが一般的なオフィスアプリケーションのようなソフトウェアで作成されたデータである場合、直線・文字・図形といった、そのデータの構造に従って領域毎に分割し、領域情報として保持する。
【００４８】
次に、保持している領域情報と入力カラー画像データを変換したｘｙＹ色情報に基づき、色弱者が互いに混同する色を表していると判断される色情報を検索し、それら互いに混同する色情報のセットを生成する（ステップＳ１４）。
【００４９】
混同色の検索処理方法については、保持している各領域毎に、例えば平均のｘｙＹ色度値を算出し、これらの各領域を代表する色情報に対して、例えば特開２００４−２４６７
３９号公報に開示されているような、図６に示す色覚特性毎に定義される混同線軌跡を用いる方法が適用でき、これらについての詳細な説明は省略する。なお、色覚判定部３では、使用者がどの色覚タイプであるかの判定は行っていないため、図６に示す各色覚タイプの混同線を用いて混同色の検索を行う。また、各領域を代表する輝度Ｙが所定値（例えば５）以上それぞれ異なっていた場合、混同色の検索は行わない（ステップＳ１５）。
【００５０】
以上のような混同色の検索を行った結果、混同色が見つかった場合、混同色と判定された領域のうち、最も画素数の大きな領域以外の領域について、色補正部１３において色補正を行う領域を示す混同色情報を付与し、入力画像データのＨＳＬ値と共に、色補正部１３へ送る。
【００５１】
また、色覚判定部３が、使用者が一般色覚者であると判定した場合には、入力画像データのＨＳＬ値のみを色補正部１３へと送る。
【００５２】
色補正部１３では、混同色判定部１２より受け取ったデータに混同色情報が含まれていた場合、該当する領域の画素に対し、パラメータ生成部４より受け取った色補正パラメータ（図８（ａ））を補間して調整量を算出し、入力データのＨＳＬ値に加算する。但し、パラメータ生成部４より受け取った色補正パラメータが２つ（図８（ａ）及び（ｂ））あった場合には、混同色情報の付与されている領域に対して図８（ａ）の色補正パラメータを用い、混同色情報の付与されていない領域には、図８（ｂ）に示す、もう一方の色補正パラメータを用いてＨＳＬ色空間で逆方向の補正を行う。このように、混同色として判定された領域に対し、混同色でない領域に逆方向の補正を行うことにより、相対的に、混同色に対する色補正量を強調することができる。
【００５３】
以上のような色補正を行った後、色補正部１３は補正後のＨＳＬ値を混同色判定部１２へ送る。そして、混同色判定部１２は、色補正部１３より受け取ったＨＳＬ値を（４）式によりＲＧＢ値に変換し、再度、色補正後のＨＳＬ値に対応したｘｙＹ値を算出する。
【００５４】
【数２】
2009071541.tif 000004
【００５５】
そして、再度、上記に示した混同色の検索処理を行い、ＨＳＬ値と混同色情報を色補正部１３に送り、色補正部１３が色補正パラメータを用いて色補正を行う。この混同色の判定と色補正を、混同色と判定される領域がなくなるまで、又は所定回数（例えば５回）繰り返す。
【００５６】
色補正部１３は、混同色判定部１２から送られてきたデータに混同色情報が全く含まれない場合、もしくは所定回数色補正を行っている場合、そのＨＳＬ値を（４）式を用いてＲＧＢ値に変換し、出力する。
【００５７】
このようにして補正されたデータが、ＲＧＢ値から画像形成用の色信号へと変換する色変換部（図示せず）へと送られ、色補正部では、あらかじめ保持しておいた入力データに対する画像形成装置に依存する画像形成用データが設定された３Ｄ−ＬＵＴを用いた補間演算等の方法を用いて、画像形成用データに変換する。
【００５８】
以上説明した実施例においては、色弱の使用者が自身の色覚タイプを十分に把握していない場合であっても、容易に自身の色覚特性を入力し、その情報に基づき、なるべく少ない色補正量で色弱者に色の判別のし易い画像を生成することができる。
【００５９】
実施例２：（媒体クレームのための実施例）
図７は、本発明における画像処理システムのハードウェア構成例を示す。コンピュータ１０は、プログラム読取装置１０ａ、全体を制御するＣＰＵ１０ｂ、ＣＰＵ１０ｂのワークエリア等として使用されるＲＡＭ１０ｃ、ＣＰＵ１０ｂの制御プログラム等が記憶されているＲＯＭ１０ｄ、ハードディスク１０ｅ、ＮＩＣ１０ｆ、マウス１０ｇ、キーボード１０ｈ、画像データを表示したりユーザーが画面に直接触れることで情報の入力が可能なディスプレイ１１、カラープリンタ等の画像形成装置１２とを備えている。本画像処理システムは、例えばワークステーションやパーソナルコンピュータ等で実現することができる。
【００６０】
このような構成の場合、図２に示す混同色判定部１２、色補正部１３、色覚判定部３、パラメータ生成部４の機能はＣＰＵ１０ｂに持たせることができる。また、色覚特性入力部２の機能は、マウス１０ｇ、キーボード１０ｈ、ディスプレイ１１のいずれかに持たせることができる。なお、ＣＰＵ１０ｂのような色補正などの画像処理機能は、例えばソフトウェアパッケージ、具体的には、ＣＤ−ＲＯＭや磁気ディスク等の情報記録媒体の形で提供することができ、このため、図７に示す例では、情報記録媒体がセットされると、これを駆動する媒体駆動装置が設けられている（図示せず）。
【００６１】
以上により、本発明における画像処理装置及び画像処理方法は、ディスプレイ等を備えた汎用の計算機システムにＣＤ−ＲＯＭ等の情報記録媒体に記録されたプログラムを読み込ませて、この汎用計算機システムの中央演算装置に入力インタフェースから入力された色覚特性情報に基づいた色補正を実行させる装置構成においても実施することが可能である。この場合、本発明の画像処理を実行するためのプログラム、すなわちハードウェアシステムで用いられるプログラムは、記録媒体に記録された状態で提供される。プログラムなどが記録される情報記録媒体としては、ＣＤ−ＲＯＭといったものに限定されるものではなく、例えばＲＯＭ、ＲＡＭ、フラッシュメモリ、光磁気ディスクといったものが用いられても良い。記録媒体に記録されたプログラムは、ハードウェアシステムに組み込まれている記憶装置、例えばハードディスク１０ｅにインストールされることにより、このプログラムを実行して、色補正機能を実現することができる。
【００６２】
また、本発明の色補正機能等を実現するためのプログラムは、記録媒体の形で提供されるのみならず、例えば、ネットワークを介した通信によってサーバから提供されるものであっても良い。
【図面の簡単な説明】
【００６３】
【図１】本発明に係る画像処理装置の全体構成を示す。
【図２】本発明に係る画像処理装置の詳細な構成を示す。
【図３】本発明の処理フローチャートである。
【図４】色覚特性入力画面例を示す。
【図５】入力制限がある場合の色覚特性入力画面例を示す。
【図６】各色覚タイプにおける混同線を説明する図である。
【図７】本発明をソフトウェアで実現する場合の構成例を示す。
【図８】色補正パラメータ例を示す。
【符号の説明】
【００６４】
１  色変換部
２  色覚特性入力部
３  色覚判定部
４  パラメータ生成部
【図１】
2009071541.tif 000005
【図２】
2009071541.tif 000006
【図３】
2009071541.tif 000007
【図４】
2009071541.tif 000008
【図５】
2009071541.tif 000009
【図６】
2009071541.tif 000010
【図７】
2009071541.tif 000011
【図８】
2009071541.tif 000012